(57)【要約】【課題】煩わしい付け換え作業をすることなく、複数種の農作業機に対して共通に使用できるリモコン操作装置を提供する。【解決手段】リモコン操作装置１は、操作スイッチ部５を有する装置本体４を備える。装置本体４のシート被取付部６には、可撓性のシート体８を固着する。代掻機に対応するもので操作スイッチ部５の内容を表示する第１スイッチ内容表示11を装置本体４に付ける。畦塗り機に対応するもので操作スイッチ部５の内容を表示する第２スイッチ内容表示をシート体８に付ける。【選択図】図１
2007202525.tif 000002
【特許請求の範囲】
【請求項１】
複数種の機械に対して共通に使用できるリモコン操作装置であって、
操作スイッチ部を有する装置本体と、
この装置本体に設けられたシート体と、
前記装置本体に付され、前記複数種の機械中の一の機械に対応するもので、前記操作スイッチ部の内容を表示する第１スイッチ内容表示と、
前記シート体に付され、前記複数種の機械中の他の機械に対応するもので、前記操作スイッチ部の内容を表示する第２スイッチ内容表示と
を備えることを特徴とするリモコン操作装置。
【請求項２】
シート体は、第１スイッチ内容表示の一部と同一色の透明シート部材にて構成されている
ことを特徴とする請求項１記載のリモコン操作装置。
【請求項３】
複数種の機械に対して共通に使用できるリモコン操作装置であって、
操作スイッチ部を有する装置本体と、
この装置本体の外周側に回転可能に設けられた可撓性の筒状のシート体と、
このシート体に付され、前記複数種の機械中の一の機械に対応するもので、前記操作スイッチ部の内容を表示する第１スイッチ内容表示と、
前記シート体に付され、前記複数種の機械中の他の機械に対応するもので、前記操作スイッチ部の内容を表示する第２スイッチ内容表示と
を備えることを特徴とするリモコン操作装置。
【請求項４】
複数種の機械に対して共通に使用できるリモコン操作装置であって、
操作スイッチ部を有する装置本体と、
この装置本体の一方側に回転可能に設けられた一方側巻取用軸体と、
前記装置本体の他方側に回転可能に設けられた他方側巻取用軸体と、
一端側が前記一方側巻取用軸体に取り付けられ、他端側が前記他方側巻取用軸体に取り付けられた可撓性のシート体と、
このシート体に付され、前記複数種の機械中の一の機械に対応するもので、前記操作スイッチ部の内容を表示する第１スイッチ内容表示と、
前記シート体に付され、前記複数種の機械中の他の機械に対応するもので、前記操作スイッチ部の内容を表示する第２スイッチ内容表示と
を備えることを特徴とするリモコン操作装置。
【請求項５】
複数種の機械に対して共通に使用できるリモコン操作装置であって、
操作スイッチ部を有する装置本体と、
この装置本体に回転可能に設けられた巻取用軸体と、
この巻取用軸体に巻き取られる可撓性のシート体と、
前記装置本体に付され、前記複数種の機械中の一の機械に対応するもので、前記操作スイッチ部の内容を表示する第１スイッチ内容表示と、
前記シート体に付され、前記複数種の機械中の他の機械に対応するもので、前記操作スイッチ部の内容を表示する第２スイッチ内容表示と
を備えることを特徴とするリモコン操作装置。
【請求項６】
複数種の農作業機に対して共通に使用可能となっている
ことを特徴とする請求項１ないし５のいずれか一記載のリモコン操作装置。
【発明の詳細な説明】
【技術分野】
【０００１】
本発明は、複数種の機械に対して共通に使用できるリモコン操作装置に関するものである。
【背景技術】
【０００２】
従来、例えば複数種の農作業機に対して共通に使用可能なリモコン操作装置としては、金属或いはプラスチック等の薄板で作られ操作スイッチ部の内容を表示するスイッチ内容表示が付された複数枚のパネル体の中から、トラクタに連結した農作業機に対応するものを選択し、この選択したパネル体を装置本体の表面部に脱着可能に取り付けて使用するリモコン操作装置が知られている（例えば、特許文献１参照）。
【特許文献１】特開２００５−１５１９２０号公報
【発明の開示】
【発明が解決しようとする課題】
【０００３】
しかしながら、上記従来のリモコン操作装置のように、複数種の農作業機に対応した複数枚のパネル体の中から選択した一のパネル体を装置本体に脱着可能に取り付けて使用する構成では、トラクタに連結する農作業機を変えるたびに、パネル体の煩わしい付け換え作業をしなければならないという問題がある。
【０００４】
本発明は、このような点に鑑みなされたもので、煩わしい付け換え作業をすることなく、複数種の機械に対して共通に使用できるリモコン操作装置を提供することを目的とする。
【課題を解決するための手段】
【０００５】
請求項１記載のリモコン操作装置は、複数種の機械に対して共通に使用できるリモコン操作装置であって、操作スイッチ部を有する装置本体と、この装置本体に設けられたシート体と、前記装置本体に付され、前記複数種の機械中の一の機械に対応するもので、前記操作スイッチ部の内容を表示する第１スイッチ内容表示と、前記シート体に付され、前記複数種の機械中の他の機械に対応するもので、前記操作スイッチ部の内容を表示する第２スイッチ内容表示とを備えるものである。
【０００６】
請求項２記載のリモコン操作装置は、請求項１記載のリモコン操作装置において、シート体は、第１スイッチ内容表示の一部と同一色の透明シート部材にて構成されているものである。
【０００７】
請求項３記載のリモコン操作装置は、複数種の機械に対して共通に使用できるリモコン操作装置であって、操作スイッチ部を有する装置本体と、この装置本体の外周側に回転可能に設けられた可撓性の筒状のシート体と、このシート体に付され、前記複数種の機械中の一の機械に対応するもので、前記操作スイッチ部の内容を表示する第１スイッチ内容表示と、前記シート体に付され、前記複数種の機械中の他の機械に対応するもので、前記操作スイッチ部の内容を表示する第２スイッチ内容表示とを備えるものである。
【０００８】
請求項４記載のリモコン操作装置は、複数種の機械に対して共通に使用できるリモコン操作装置であって、操作スイッチ部を有する装置本体と、この装置本体の一方側に回転可能に設けられた一方側巻取用軸体と、前記装置本体の他方側に回転可能に設けられた他方側巻取用軸体と、一端側が前記一方側巻取用軸体に取り付けられ、他端側が前記他方側巻取用軸体に取り付けられた可撓性のシート体と、このシート体に付され、前記複数種の機械中の一の機械に対応するもので、前記操作スイッチ部の内容を表示する第１スイッチ内容表示と、前記シート体に付され、前記複数種の機械中の他の機械に対応するもので、前記操作スイッチ部の内容を表示する第２スイッチ内容表示とを備えるものである。
【０００９】
請求項５記載のリモコン操作装置は、複数種の機械に対して共通に使用できるリモコン操作装置であって、操作スイッチ部を有する装置本体と、この装置本体に回転可能に設けられた巻取用軸体と、この巻取用軸体に巻き取られる可撓性のシート体と、前記装置本体に付され、前記複数種の機械中の一の機械に対応するもので、前記操作スイッチ部の内容を表示する第１スイッチ内容表示と、前記シート体に付され、前記複数種の機械中の他の機械に対応するもので、前記操作スイッチ部の内容を表示する第２スイッチ内容表示とを備えるものである。
【００１０】
請求項６記載のリモコン操作装置は、請求項１ないし５のいずれか一記載のリモコン操作装置において、複数種の農作業機に対して共通に使用可能となっているものである。
【発明の効果】
【００１１】
本発明によれば、複数種の機械に対応した複数枚のパネル体の中から選択した一のパネル体を装置本体に脱着可能に取り付けて使用する従来の構成とは異なり、煩わしい付け換え作業をすることなく、複数種の機械に対して共通に使用できる。
【発明を実施するための最良の形態】
【００１２】
本発明のリモコン操作装置の一実施の形態を図面を参照して説明する。
【００１３】
図１ないし図４において、１はリモコン操作装置（操作ボックス）で、このリモコン操作装置１は、図示しない走行車であるトラクタの後部の作業機昇降支持装置（３点ヒッチ部）に連結して使用する複数種の機械、すなわち例えば２種類の農作業機（代掻機、畦塗り機）に対して共通に使用できるものである。また、リモコン操作装置１は、トラクタに連結された農作業機の制御部に接続コード２を介して電気的に接続され、トラクタに乗った作業者が操作可能な位置に配設されるものである。
【００１４】
リモコン操作装置１は、図１ないし図４に示すように、略直方体形状の装置本体４を備え、この装置本体４の下面部には、一端部が農作業機の制御部に接続された接続コード２の他端部が接続されている。
【００１５】
装置本体４は、トラクタに乗った作業者によって押動操作される操作スイッチ部５を前面側に有している。この操作スイッチ部５は、例えば各機械ごとに応じた２以上の機能を有する複数個の押しボタン（スイッチ）にて構成されている。また、装置本体４は、前面上部の２箇所に突出状のシート被取付部６を有している。
【００１６】
また、リモコン操作装置１は、装置本体４に一部がその装置本体４に固着された状態として設けられた略矩形状の可撓性のシート体８を備えている。シート体８は、例えば合成樹脂等からなる非透明シート部材10にて装置本体４の前面略全体を覆うことができる大きさに形成され、シート体８の長手方向一端部が装置本体４のシート被取付部６に固着され、シート体８の長手方向他端部が自由端部９となっている。
【００１７】
そして、シート体８は、図１および図２に示す不使用状態時には、シート体８の自由端部９が装置本体４の後面における上下方向中央よりやや下の部分と対向するように、シート被取付部６側の部分を中心として捲り上げられて装置本体４の前面を露出させるが、図３および図４に示す使用状態時には、シート体８の全体が装置本体４の前面と対向した状態となって装置本体４の前面略全体を覆う。
【００１８】
ここで、図１に示すように、複数種の機械中の一の機械、例えば代掻作業および土引き作業を行う代掻機に対応するもので、操作スイッチ部５の内容を表示する第１スイッチ内容表示11が装置本体４の前面に付されている。この第１スイッチ内容表示11は、トラクタに連結された農作業機が代掻機である場合に、その代掻機の作動部を作動させる際に押動操作する操作スイッチ部５の内容を表示するもので、例えば「開」、「閉」、「土引」、「作業」等の文字、および「○」等の記号等からなる。
【００１９】
また、図３に示すように、複数種の機械中の他の機械、例えば畦塗り作業を行う畦塗り機に対応するもので、操作スイッチ部５の内容を表示する第２スイッチ内容表示12がシート体８の表面に付されている。この第２スイッチ内容表示12は、トラクタに連結された農作業機が畦塗り機である場合に、その畦塗り機の作動部を作動させる際に押動操作する操作スイッチ部５の内容を表示するもので、例えば「浅」、「深」、「前進」、「後進」等の文字、「○」等の記号、および畦塗り機を示す図形等からなる。
【００２０】
次に、上記リモコン操作装置１の作用等を説明する。
【００２１】
例えば代掻機をトラクタの後部に連結して代掻作業を行う場合、図１および図２に示すように、シート体８を捲り上げて不使用状態にして装置本体４の前面を露出させることにより、代掻機に対応する第１スイッチ内容表示11を見えるようにし、その第１スイッチ内容表示11を確認しつつ操作スイッチ部５を適宜押動操作する。
【００２２】
例えば、図１に示す押しボタン5aが押動操作された場合には代掻機の右側のサイドレーキが閉じ、図１に示す押しボタン5bが押動操作された場合には代掻機の整地体が土引きロック状態になる。
【００２３】
次に代掻機に代えて、畦塗り機をトラクタの後部に連結して畦塗り作業を行う場合、図３および図４に示すように、シート体８が装置本体４の前面略全体を覆うよう、シート体８を下ろして平面状の使用状態にすることにより、畦塗り機に対応する第２スイッチ内容表示12を見えるようにし、その第２スイッチ内容表示12を確認しつつ操作スイッチ部５を適宜押動操作する。
【００２４】
例えば、図３に示す押しボタン5aが押動操作された場合には畦塗り機のロータリ部が上昇して耕耘深さが浅くなり、図３に示す押しボタン5bが押動操作された場合には畦塗り機のロータリ部が下降して耕耘深さが深くなる。
【００２５】
このようにリモコン操作装置１によれば、パネル体の煩わしい付け換え作業を必要とする従来の構成とは異なり、煩わしい付け換え作業をすることなく、可撓性のシート体８を捲り上げたり下ろしたりするだけで、複数種の農作業機に対して共通に使用できる。
【００２６】
また、シート体８の一部が装置本体４のシート被取付部６に固着されているため、シート体８を紛失することもない。
【００２７】
なお、シート体８の枚数は２枚以上（例えば２枚、３枚、或いは４枚等）でもよく、例えば畦塗り機に対応する第２スイッチ内容表示12を付したシート体と、このシート体とは別体で肥料散布機に対応する第３スイッチ内容表示を付したシート体とを２重にして装置本体４のシート被取付部６に固着するようにしてもよい。また、シート体８は非可撓性であってもよい。
【００２８】
上記実施の形態では、柔軟性のあるシート体８が非透明シート部材10にて構成された場合について説明したが、例えば図５ないし図８に示すように、シート体８を第１スイッチ内容表示11の一部と同一色の透明シート部材20にて構成するようにしてもよい。
【００２９】
すなわち例えば図５ないし図８に示すリモコン操作装置１では、図５に示す第１スイッチ内容表示11中の「○」の記号11a，11b，11c，11d，11eが赤色で、第１スイッチ内容表示11中の電源入切の表示部分11fが白色で、第１スイッチ内容表示11の残り部分が青色であり、透明シート部材20がその残り部分と同一色の青色でかつ透明なもので、この透明シート部材20の表面に青色以外の色で「浅」、「深」、「前進」、「後進」等の文字、および畦塗り機を示す図形等からなる第２スイッチ内容表示12が付されている。
【００３０】
このため、図７に示すように、シート体８にて装置本体４の前面略全体が覆われると、「浅」、「深」、「前進」、「後進」等の文字、および畦塗り機を示す図形等からなる第２スイッチ内容表示12が見えるようになるとともに、第１スイッチ内容表示11中の青色部分が消えて見えなくなる。また、「○」の記号11a，11b，11c，11d，11eはシート体８上に紫色に浮び上がり、第１スイッチ内容表示11中の電源入切の表示部分11fはシート体８上に水色に浮び上がる。
【００３１】
そして、図５ないし図８に示すリモコン操作装置１であっても、図１ないし図４に示すものと同様、煩わしい付け換え作業をすることなく、シート体８を捲り上げたり下ろしたりするだけで、複数種の農作業機に対して共通に使用でき、しかも、シート体８の一部が装置本体４のシート被取付部６に固着されているため、シート体８を紛失することもない。
【００３２】
また、仮に、シート体８が破損等することによってシート体８を紛失することがあっても、例えば「○」の記号11a，11b，11c，11d，11eが赤色であり、代掻機でしか使用しない押しボタンに対応する青色の「○」の記号と区別されているため、作業者によっては畦塗り機の作動部を間違うことなく適切に作動させることができる。
【００３３】
また、リモコン操作装置１は、図９ないし図１１に示す横方向移動式の構成でもよい。
【００３４】
この図９ないし図１１に示すリモコン操作装置１では、可撓性の筒状のシート体21が装置本体４の外周側に回転操作可能に設けられている。すなわち例えば、装置本体４が互いに離間対向する対をなす突出状の保持部（ストッパ部）22を前面上下部に有し、筒状のシート体21が両保持部22にて上下にずれないよう保持された状態で装置本体４の外周側に回転操作可能に装着されている。
【００３５】
この筒状のシート体21の表面には、図１１の展開図に示されるように、複数種の機械中の一の機械、例えば代掻作業および土引き作業を行う代掻機に対応するもので装置本体４の操作スイッチ部５の内容を表示する第１スイッチ内容表示11が第１領域部分23に付され、複数種の機械中の他の機械、例えば畦塗り作業を行う畦塗り機に対応するもので装置本体４の操作スイッチ部５の内容を表示する第２スイッチ内容表示12が第２領域部分24に付されている。なお、図９および図１０においては、第１スイッチ内容表示11および第２スイッチ内容表示12が省略されている。
【００３６】
そして、代掻機をトラクタの後部に連結して代掻作業を行う場合、シート体21の第１領域部分23が装置本体４の前面の所定部分を覆うよう、シート体21を装置本体４に対して回動操作することにより、代掻機に対応する第１スイッチ内容表示11を見えるようにし、その第１スイッチ内容表示11を確認しつつ操作スイッチ部５を適宜押動操作する。
【００３７】
また、畦塗り機をトラクタの後部に連結して畦塗り作業を行う場合、シート体21の第２領域部分24が装置本体４の前面の所定部分を覆うよう、シート体21を装置本体４に対して回動操作することにより、畦塗り機に対応する第２スイッチ内容表示12を見えるようにし、その第２スイッチ内容表示12を確認しつつ操作スイッチ部５を適宜押動操作する。
【００３８】
このように図９ないし図１１に示すリモコン操作装置１であっても、図１ないし図４に示すものと同様、煩わしい付け換え作業をすることなく、筒状のシート体21を回動操作するだけで、複数種の農作業機に対して共通に使用でき、しかも筒状のシート体21を紛失することもない。
【００３９】
なお、例えばシート体21における第１領域部分23と第２領域部分24との間の部分に、さらに別の農作業機、例えば肥料散布機に対応する第３スイッチ内容表示を付すようにしてもよく、最大で４種類のスイッチ内容表示を付すことが可能である。
【００４０】
さらに、リモコン操作装置１は、図１２ないし図１４に示す両側ロール式の構成でもよい。
【００４１】
この図１２ないし図１４に示すリモコン操作装置１では、装置本体４の一方側、例えば上端部に左右方向の一方側巻取用軸体31が回転操作可能に設けられ、装置本体４の他方側、例えば下端部に左右方向の他方側巻取用軸体32が回転操作可能に設けられている。一方側巻取用軸体31および他方側巻取用軸体32は、いずれも、装置本体４に貫通された左右方向の軸部33と、この軸部33の軸方向両端部に設けられた摘み部34とを有している。
【００４２】
そして、細長い矩形状の可撓性のシート体35の一端部が一方側巻取用軸体31の軸部33に固着され、シート体35の他端部が他方側巻取用軸体32の軸部33に固着され、このシート体35の一部が一方側巻取用軸体31および他方側巻取用軸体32に選択的に巻き取られる。
【００４３】
このシート体35の表面には、図１４の展開図に示されるように、複数種の機械中の一の機械、例えば代掻作業および土引き作業を行う代掻機に対応するもので装置本体４の操作スイッチ部５の内容を表示する第１スイッチ内容表示11が第１領域部分（図１４中、上半部）36に付され、複数種の機械中の他の機械、例えば畦塗り作業を行う畦塗り機に対応するもので装置本体４の操作スイッチ部５の内容を表示する第２スイッチ内容表示12が第２領域部分（図１４中、下半部）37に付されている。
【００４４】
また、シート体35の長手方向中央部には、装置本体４の係合受部41a，41bと係脱自在に係合してシート体35を所定位置に位置決めする位置決め用係合体40が設けられている。係合受部41a，41bは、装置本体４の前面側に形成された窪み部42の上下の壁面43a，43bにて構成されている。なお、図１２においては、第１スイッチ内容表示11および第２スイッチ内容表示12が省略されている。
【００４５】
そして、代掻機をトラクタの後部に連結して代掻作業を行う場合、シート体35の第１領域部分36が装置本体４の前面の所定部分、例えば窪み部42の窪み底面全体を覆うよう、シート体35の第２領域部分37を他方側巻取用軸体32に巻き取ることにより、代掻機に対応する第１スイッチ内容表示11を見えるようにし、その第１スイッチ内容表示11を確認しつつ操作スイッチ部５を適宜押動操作する。
【００４６】
この第１スイッチ内容表示11を見ることができる状態では、位置決め用係合体40と装置本体４の係合受部41bとが係合し、シート体35が装置本体４に対して所定位置で位置決めされている。
【００４７】
また、畦塗り機をトラクタの後部に連結して畦塗り作業を行う場合、シート体35の第２領域部分37が装置本体４の前面の所定部分、例えば窪み部42の窪み底面全体を覆うよう、シート体35の第１領域部分36を一方側巻取用軸体31に巻き取ることにより、畦塗り機に対応する第２スイッチ内容表示12を見えるようにし、その第２スイッチ内容表示12を確認しつつ操作スイッチ部５を適宜押動操作する。
【００４８】
この第２スイッチ内容表示12を見ることができる状態では、位置決め用係合体40と装置本体４の係合受部41aとが係合し、シート体35が装置本体４に対して所定位置で位置決めされている。
【００４９】
このように図１２ないし図１４に示すリモコン操作装置１であっても、図１ないし図４に示すものと同様、煩わしい付け換え作業をすることなく、一方側巻取用軸体31および他方側巻取用軸体32の少なくとも一方を手動で回動操作してシート体35の一部を巻き取るだけで、複数種の農作業機に対して共通に使用でき、しかも筒状のシート体35を紛失することもない。
【００５０】
なお、一方側巻取用軸体31および他方側巻取用軸体32を回動させる駆動手段（モータ、ばね等）を用いて、スイッチ内容表示の切換えを自動的に行えるようにしてもよい。
【００５１】
また、リモコン操作装置１は、図１５ないし図１７に示す片側ロール式の構成でもよい。
【００５２】
この図１５ないし図１７に示すリモコン操作装置１では、装置本体４の上端部に左右方向の巻取用軸体51が回転操作可能に設けられ、この巻取用軸体51は装置本体４に貫通された左右方向の軸部52とこの軸部52の軸方向両端部に設けられた摘み部53とを有している。この巻取用軸体51の軸部52には矩形状の可撓性のシート体55の一端部が固着され、このシート体55はその巻取用軸体51の軸部52に巻き取られる。シート体55の他端部である自由端部には、装置本体４の係合受部61a，61bと係脱自在に係合してシート体55を所定位置に位置決めする位置決め用係合体60が設けられている。係合受部61a，61bは、装置本体４の前面側に形成された窪み部62の上下の壁面63a，63bにて構成されている。
【００５３】
装置本体４の前面の所定部分、例えば窪み部62の窪み底面には、複数種の機械中の一の機械、例えば代掻作業および土引き作業を行う代掻機に対応するもので装置本体４の操作スイッチ部５の内容を表示する第１スイッチ内容表示11が付されている（図１５参照）。また、シート体55の表面には、複数種の機械中の他の機械、例えば畦塗り作業を行う畦塗り機に対応するもので装置本体４の操作スイッチ部５の内容を表示する第２スイッチ内容表示12が付されている。
【００５４】
そして、代掻機をトラクタの後部に連結して代掻作業を行う場合、シート体55を巻取用軸体51に巻き取って装置本体４の前面を露出させることにより、代掻機に対応する第１スイッチ内容表示11を見えるようにし、その第１スイッチ内容表示11を確認しつつ操作スイッチ部５を適宜押動操作する。
【００５５】
この第１スイッチ内容表示11を見ることができる状態では、位置決め用係合体60と装置本体４の係合受部61aとが係合し、シート体55が装置本体４に対して所定位置で位置決めされている。
【００５６】
また、畦塗り機をトラクタの後部に連結して畦塗り作業を行う場合、シート体55が装置本体４の前面の所定部分、例えば窪み部42の窪み底面全体を覆うよう、シート体55を巻取用軸体51から巻き戻して平面状の使用状態にすることにより、畦塗り機に対応する第２スイッチ内容表示12を見えるようにし、その第２スイッチ内容表示12を確認しつつ操作スイッチ部５を適宜押動操作する。
【００５７】
この第２スイッチ内容表示12を見ることができる状態では、位置決め用係合体60と装置本体４の係合受部61bとが係合し、シート体35が装置本体４に対して所定位置で位置決めされている。
【００５８】
このように図１５ないし図１７に示すリモコン操作装置１であっても、図１ないし図４に示すものと同様、煩わしい付け換え作業をすることなく、巻取用軸体51を手動で回動操作してシート体35を巻き取ったり巻き戻したりするだけで、複数種の農作業機に対して共通に使用でき、しかも筒状のシート体55を紛失することもない。
【００５９】
なお、巻取用軸体51を回動させる駆動手段（モータ、ばね等）を用いて、スイッチ内容表示の切換えを自動的に行えるようにしてもよい。
【００６０】
また一方、上記いずれの実施の形態においても、農作業機の制御部に接続コード２等の接続手段を介して電気的に接続する有線タイプには限定されず、接続コード等の接続手段を用いない無線タイプであってもよい。
【００６１】
また、シート体21，35，55は、非透明シート部材にて構成したものでもよく、透明シート部材にて構成したものでもよい。
【００６２】
さらに、第１スイッチ内容表示11および第２スイッチ内容表示12を見やすくするために、操作スイッチ部５の内側に光源を設けるようにしてもよい。
【図面の簡単な説明】
【００６３】
【図１】本発明の一実施の形態に係るリモコン操作装置の第１スイッチ内容表示の表示状態時における正面図である。
【図２】同上リモコン操作装置の側面図である。
【図３】同上リモコン操作装置の第２スイッチ内容表示の表示状態時における正面図である。
【図４】同上リモコン操作装置の側面図である。
【図５】本発明の他の実施の形態に係るリモコン操作装置の第１スイッチ内容表示の表示状態時における正面図である。
【図６】同上リモコン操作装置の側面図である。
【図７】同上リモコン操作装置の第２スイッチ内容表示の表示状態時における正面図である。
【図８】同上リモコン操作装置の側面図である。
【図９】本発明のさらに他の実施の形態に係るリモコン操作装置の正面図である。
【図１０】同上リモコン操作装置の側面図である。
【図１１】同上リモコン操作装置のシートの展開図である。
【図１２】本発明のさらに他の実施の形態に係るリモコン操作装置の正面図である。
【図１３】同上リモコン操作装置の側面図である。
【図１４】同上リモコン操作装置のシートの展開図である。
【図１５】本発明のさらに他の実施の形態に係るリモコン操作装置の正面図である。
【図１６】同上リモコン操作装置の側面図である。
【図１７】同上リモコン操作装置のシートの展開図である。
【符号の説明】
【００６４】
１    リモコン操作装置
４    装置本体
５    操作スイッチ部
８    シート体
11    第１スイッチ内容表示
12    第２スイッチ内容表示
20    透明シート部材
21    シート体
31    一方側巻取用軸体
32    他方側巻取用軸体
35    シート体
51    巻取用軸体
55    シート体
【図１】
2007202525.tif 000003
【図２】
2007202525.tif 000004
【図３】
2007202525.tif 000005
【図４】
2007202525.tif 000006
【図５】
2007202525.tif 000007
【図６】
2007202525.tif 000008
【図７】
2007202525.tif 000009
【図８】
2007202525.tif 000010
【図９】
2007202525.tif 000011
【図１０】
2007202525.tif 000012
【図１１】
2007202525.tif 000013
【図１２】
2007202525.tif 000014
【図１３】
2007202525.tif 000015
【図１４】
2007202525.tif 000016
【図１５】
2007202525.tif 000017
【図１６】
2007202525.tif 000018
【図１７】
2007202525.tif 000019